(57)【特許請求の範囲】
【請求項１】
コンピュータに、
各々、一の文書を構成する一のページと対応付けられ、筆記位置および筆記タイミングの情報を有する複数の筆記情報を取得する取得ステップと、
該取得した複数の筆記情報のうち、同一のページと対応付けられた複数の筆記情報に従って画像を表示する表示ステップと、
筆記タイミングの指定を受付ける受付ステップと、
該受付けた筆記タイミングに応じて、該表示された画像の表示態様を更新する更新ステップと、
該表示された前記複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付けることにより、筆記情報と文書との対応付けを変更する変更ステップと
を実行させるためのプログラム。
【請求項２】
前記表示ステップにおいて、ページごとに、ページ内の筆記位置に対応する位置に前記画像が表示される
請求項１記載のプログラム。
【請求項３】
前記表示ステップにおいて、各筆記情報に係る筆記が行われたタイミングが時系列で表された指標画像を更に表示し、
前記受付ステップにおいて、前記指標画像内の位置の指定を受け付ける
請求項１または２に記載のプログラム。
【請求項４】
前記指標画像において、筆記が行われた期間と筆記が行われていない期間とが区分して表示される、
請求項３記載のプログラム。
【請求項５】
前記表示ステップにおいて、筆記が行われていない複数の期間のうち最も長い一の期間を指定するようにユーザを促すための画像が表示される、
請求項４記載のプログラム。
【請求項６】
前記コンピュータに、前記第１筆記情報および第２筆記情報を、一のページ内における各筆記情報の位置関係に応じて決定させるステップをさらに実行し、
前記受付ステップにおいては、該決定された第１筆記情報および第２筆記情報が区別して表示される、
請求項１ないし５のいずれか一つに記載のプログラム。
【請求項７】
前記受付ステップにおいて、前記第１筆記情報または前記第２筆記情報についての新たな対応付けの指定をさらに受け付ける、
請求項１ないし４のいずれか一つに記載のプログラム。
【請求項８】
各々、一の文書を構成する一のページと対応付けられ、筆記位置および筆記タイミングの情報を有する複数の筆記情報を取得する取得手段と、
該取得した複数の筆記情報のうち、同一のページと対応付けられた複数の筆記情報に従って画像を表示する表示手段と、
筆記タイミングの指定を受付ける受付手段と、
該受付けた筆記タイミングに応じて、該表示された画像の表示態様を更新する更新手段と、
該表示された前記複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付けることにより、筆記情報と文書との対応付けを変更する変更手段と
を有する情報処理装置。
【請求項９】
位置情報を示す画像が形成されたシートと、
ユーザによって把持され、一の文書を構成する一のページと対応付けられ、前記シートに対して筆記された位置および筆記されたタイミングの情報を入力する入力手段と、
該入力された複数の筆記情報のうち、同一のページと対応付けられた複数の筆記情報に従って画像を表示する表示手段と、
筆記タイミングの指定を受付ける受付手段と、
該受付けた筆記タイミングに応じて、該表示された画像の表示態様を更新する更新手段と、
該表示された前記複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付けることにより、筆記情報と文書との対応付けを変更する変更手段と
を有する筆記システム。
【発明の詳細な説明】
【技術分野】
【０００１】
本発明は、筆記情報の編集処理に関する。
【背景技術】
【０００２】
電子ペンと呼ばれる情報読取デバイスを用いて専用の用紙に筆記を行い、実際に用紙に筆記するとともに、その筆記内容をデータ化する技術がある。一般的に、一つの文書は複数のページから構成されることになるので、各専用シートにはベージ番号を示す情報が付加されており、この情報を筆記内容と合わせて読み取ることで、どのページに対してなされた筆記データであるかを示すページ情報が記録されるようになっている。
ここで、全ての専用用紙に固有のページ番号を付与することは現実的でない。付与する番号が無限に増え、専用用紙の製造や管理が面倒となるからである。この点に鑑み、予め定められたページ数（例えば１０ページ分）の識別情報のいずれかが付与された一セットの専用用紙を使ってあらゆる文書を記録する方式がある。この方式では、一つの文書の筆記を完了した後、ユーザは予め定められたペン操作を行い、生成した筆記データに文書の区切りを示す情報を付加する。こうしてページとそのページが属する文書とが対応付けられることで、限られた枚数の専用シートを使って様々な文書のデータを生成することができる。
【先行技術文献】
【特許文献】
【０００３】
【特許文献１】特許第４１３７５６６号
【発明の概要】
【発明が解決しようとする課題】
【０００４】
ここで、例えば、ユーザが筆記に夢中で文書の区切り情報を入力し忘れると、ユーザの本来の意図とは異なる、文書とページと間の誤った対応関係を示す筆記データが生成されてしまう。このような場合、ユーザが、情報処理装置を操作して筆記データを編集することが行われている。具体的には、ユーザは筆記データに基づいて再現された筆記内容を画面で確認し、筆記データのうち、誤った部分の筆記データを特定し、特定したデータを正しい文書へ対応付ける作業を行う。
【０００５】
図１９はこの編集作業を模式的に示す。同図において、固有のＩＤが付された３枚一セットの専用用紙を用いて、３つの異なる文書を作成したとユーザは認識している。具体的には、それぞれ「あいう」、「かきく」、「さしす」の文字が筆記された計３ページからなる一つの文書Ａ−１と、「ＡＢ」、「ＣＤ」、「ＥＦ」の文字が筆記された計３ページからなる一つの文書Ａ−２と、「１１１」、「２２２」、「３３３」の数字が筆記された計３ページからなる一つの文書Ａ−３とを含む文書群が筆記されている。しかし、実際は文書の区切り情報を入力し忘れたため、情報処理装置には、生成された筆記データは、第１ページには「あいう」、「ＡＢ」、「１１１」が重ねて筆記されたような一つの文書として認識されている。
【０００６】
ユーザは、再現された筆記内容の画像を見ながら、修正が必要な箇所を情報処理装置に対して指定することになる。しかし、筆記量にもよるが、通常、一つのページに係る筆記情報は、最少の編集可能単位のデータが多数集まって構成されている。このように、多数のデータから、文書との対応関係を変更する必要があるデータを指定するのは手間がかかる。
本発明は、ユーザによってなされる、文書との対応関係に変更の必要があるデータを指定する作業を支援することを目的とする。
【課題を解決するための手段】
【０００７】
請求項１の発明は、コンピュータに、各々、一の文書を構成する一のページと対応付けられ、筆記位置および筆記タイミングの情報を有する複数の筆記情報を取得する取得ステップと、該取得した複数の筆記情報のうち、同一のページと対応付けられた複数の筆記情報に従って画像を表示する表示ステップと、筆記タイミングの指定を受付ける受付ステップと、該受付けた筆記タイミングに応じて、該表示された画像の表示態様を更新する更新ステップと、該表示された前記複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付けることにより、筆記情報と文書との対応付けを変更するステップとを実行させるためのプログラムである。
請求項２の発明においては、前記表示ステップにおいて、ページごとに、ページ内の筆記位置に対応する位置に前記画像が表示される。
請求項３の発明においては、前記表示ステップにおいて、各筆記情報に係る筆記が行われたタイミングが時系列で表された指標画像を更に表示し、前記受付ステップにおいて、前記指標画像内の位置の指定を受け付ける。
請求項４の発明において、前記指標画像において、筆記が行われた期間と筆記が行われていない期間とが区分して表示される。
請求項５の発明において、前記表示ステップにおいて、筆記が行われていない複数の期間のうち最も長い一の期間を指定するようにユーザを促すための画像が表示される。
請求項６の発明において、前記第１筆記情報および第２筆記情報を、一のページ内における各筆記情報の位置関係に応じて決定するステップが更に実行させられ、前記受付ステップにおいて、該決定された第１筆記情報および第２筆記情報が区別して表示される。
請求項７の発明において、前記受付ステップにおいて、前記第１筆記情報または前記第２筆記情報についての新たな対応付けの指定をさらに受け付ける。
請求項８の発明は、各々、一の文書を構成する一のページと対応付けられ、筆記位置および筆記タイミングの情報を有する複数の筆記情報を取得する取得手段と、該取得した複数の筆記情報のうち、同一のページと対応付けられた複数の筆記情報に従って画像を表示する表示手段と、筆記タイミングの指定を受付ける受付手段と、該受付けた筆記タイミングに応じて、該表示された画像の表示態様を更新する更新手段と、該表示された前記複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付けることにより、筆記情報と文書との対応付けを変更する変更手段とを有する情報処理装置である。
請求項９の発明は、位置情報を示す画像が形成されたシートと、ユーザによって把持され、一の文書を構成する一のページと対応付けられ、前記シートに対して筆記された位置および筆記されたタイミングの情報を入力する入力手段と、該入力された複数の筆記情報のうち、同一のページと対応付けられた複数の筆記情報に従って画像を表示する表示手段と、筆記タイミングの指定を受付ける受付手段と、該受付けた筆記タイミングに応じて、該表示された画像の表示態様を更新する更新手段と、該表示された前記複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付けることにより、筆記情報と文書との対応付けを変更する変更手段とを有する筆記システムである。
【発明の効果】
【０００８】
請求項１、９、１０に記載の発明によれば、ユーザによってなされる、文書との対応関係に変更の必要があるデータを指定する作業を支援することを目的とする。
請求項２記載の発明によれば、ユーザはページの位置関係を参考に上記の指定作業を行うことができる。
請求項３記載の発明によれば、筆記タイミングの前後で筆記情報を分割することができる。
請求項４記載の発明によれば、ユーザは一つのページに係る筆記のタイミングを直感的に理解することができる。
請求項５記載の発明によれば、ユーザは分割するポイントの候補を絞り込むことができる。
請求項６記載の発明によれば、ユーザの入力操作を軽減することができる。
請求項７記載の発明によれば、ページ内の配置を加味して、分割するポイントを決定することができる。
請求項８記載の発明によれば、対象の筆記情報が、ユーザが指定した文書へ対応付けられる。
【図面の簡単な説明】
【０００９】
【図１】筆記システム１０の概略図。
【図２】電子ペン２００の機能図。
【図３】筆記内容と生成される筆記情報の対応を示す図。
【図４】情報処理装置３００の機能図。
【図５】データ構造の一例を示す図。
【図６】動作例を示す図。
【図７】画面の例を示す図（その１）。
【図８】画面の例を示す図（その２）。
【図９】画面の例を示す図（その３）。
【図１０】画面の例を示す図（その４）。
【図１１】画面の例を示す図（その５）。
【図１２】画面の例を示す図（その６）。
【図１３】編集後のデータの例を示す図（その１）。
【図１４】画面の例を示す図（その７）。
【図１５】画面の例を示す図（その８）。
【図１６】編集後のデータの例を示す図（その２）。
【図１７】他の画面構成の例を示す図。
【図１８】他の実施例に係る処理を説明するため図。
【図１９】従来技術に係る、筆記データの編集処理を模式的に示す図。
【発明を実施するための形態】
【００１０】
図１は筆記システム１０の概略を示す。筆記システム１０は、シート１００、電子ペン２００、情報処理装置３００を含む。シート１００は、ユーザが筆記を行う対象の専用のシートである。シート１００の素材は例えば紙やプラスティックである。電子ペン２００は、ユーザによって把持される筆記具としても機能する。情報処理装置３００は、電子ペン２００を用いた筆記内容を示すデータに対して編集を行う情報処理装置である。なお、筆記者とデータ編集行うユーザは必ずしも同一である必要はない。
【００１１】
シート１００は、予め用意された複数の用紙（例えば用紙１０枚）からなる。各用紙には、当該用紙内の位置を示すコード（図示せず）が、筆記者に視認できないまたは視認しづらい形態で、印刷されている。また、各用紙に形成される情報には、固有のページ番号の情報が内包される。加えて、ページごとに文書の入力完了を表す情報を電子ペン２００に記録するための領域１０１が設けられており、ユーザはこのエリア内に電子ペン２００をタッチすることで、文書の入力完了を示す情報が電子ペン２００に生成される。上述の通り、この操作を忘れると場合、ユーザが筆記対象として認識している文書とは異なる文書と対応付けられたデータが生成してしまうことになる。
【００１２】
図２は電子ペン２００の機能を示す。電子ペン２００は、持ち手、ペン先、軸、インク貯蔵部等を備え、通常の筆記具としての機能を有する。加えて、電子ペン２００は、筆記情報を生成する電子機器を有する。具体的には、電子ペン２００は筆圧センサ２１１、読取部２１２、計時部２１３、データ処理部２２０、通信部２４０、記憶部２３０を有する。筆圧センサ２１１は、シート１００との接触を検知する接触センサであって、筆記が行われている状態か否かを判定する。読取部２１２は、発光素子や受光素子を含み、シート１００に形成された位置情報（座標）、ページ情報、その他の情報を光学的に読み取る。計時部２１３は、筆記がなされたタイミングを算出する。
【００１３】
データ処理部２２０は、筆圧センサ２１１、読取部２１２、計時部２１３から供給された情報に基づいて、ストローク情報ＳＴＲを生成する。一つのストローク情報ＳＴＲは、センサがＯＮになってからＯＦＦになるまでの筆記位置の軌跡（座標の集合）と、筆記タイミングを表す情報（筆記の開始時刻および終了時刻）と、筆記が行われた対象のページを表すページ情報を少なくとも含む。なお、ストローク情報ＳＴＲには、ペンの種類や太さなど筆記の形態に関する情報がさらに含まれていてもよい。
【００１４】
図５は、筆記内容と生成されるストローク情報ＳＴＲとの対応の例を示す図。「ｐ１」で表わされるページに「Ａ」「Ｂ」「Ｃ」の文字を順に筆記した場合、ストローク情報ＳＴＲ１、ＳＴＲ２、ＳＴＲ３、ＳＴＲ４、ＳＴＲ５の計５つのストローク情報ＳＴＲが生成される。すなわち、一つのストローク（一筆）が筆記内容を示すデータの最小単位であり、編集処理の最少単位である。
【００１５】
記憶部２３０は、半導体メモリ等であって、データ処理部２２０で生成されたストローク情報ＳＴＲを逐次記憶する。通信部２４０は、Ｂｌｕｅｔｏｏｔｈ（登録商標）等の無線通信ユニット、またはＵＳＢ等の有線通信ユニットとして実装され、予め定められたタイミングで、複数のストローク情報ＳＴＲからなる一群のストローク情報ＳＴＲを一括して送信する。
【００１６】
図４は、情報処理装置３００の機能を示す。情報処理装置３００は、ソフトウェアを実行することにより各種機能が実現されるパーソナルコンピュータ等の汎用の情報処理装置である。情報処理装置３００は、データ取得部３１０、表示制御部３２０、操作受付部３３０、データ編集部３４０、記憶部３５０を有する。
【００１７】
データ取得部３１０は、Ｂｌｕｅｔｏｏｔｈ（登録商標）等の無線通信ユニットで、電子ペン２００からストローク情報ＳＴＲを受信する。表示制御部３２０は、プロセッサ（ＣＰＵ）で、編集用アプリを実行し、液晶ディスプレイ、表示制御プロセッサとして実装され、筆記システム１０からのストローク情報ＳＴＲに基づいて画面データを生成し、画面を表示する。操作受付部３３０は、マウス、キーボード、タッチパネル等の入力デバイスであって、ユーザの指示を入力する。具体的には、筆記タイミングの指定を受付ける。
【００１８】
データ編集部３４０はプロセッサであって、操作受付部３３０からの指示に基づいてストローク情報ＳＴＲを編集する。具体的には、操作受付部３３０が受付けたタイミングに基づいて、表示されている画像に係る複数の筆記情報の少なくともいずれか一つについて、文書との対応関係の情報を変更する。具体的には、データ編集部３４０は、一群のストローク情報ＳＴＲをユーザから指定された筆記タイミングで分割する機能を有する。より具体的には、同一のページ情報が付された複数の筆記情報のうち、該受付けたタイミングよりも前の筆記タイミングを有する第１筆記情報と、該受付けたタイミングよりも後の筆記タイミングを有する第２筆記情報とを、互いに異なる文書に対応付ける。また、データ編集部３４０は、２つのストローク情報ＳＴＲを結合する機能を有する。具体的には、同一のページの異なる文書との対応付けられた２つのストローク情報ＳＴＲを、同一の文書の同一のページに対応付ける。
すなわち、ユーザが指定する筆記タイミングとはストローク情報ＳＴＲの編集内容を決定するものであり、編集内容には、データを「分割」または「結合」する処理を含む。よって、以下、タイミング情報が付与されたデータを特定するためにユーザが指定する筆記タイミングを、「分割ポイント」と称する場合がある。
【００１９】
記憶部３５０は、ハードディスク半導体メモリであって、ＯＳのほかストローク情報ＳＴＲの編集を行うためのアプリケーションプログラムを記憶されるほか、電子ペン２００から受信したストローク情報ＳＴＲ、およいデータ編集部３４０にて編集されたストローク情報ＳＴＲが記憶される。このプログラムは、記憶媒体に格納された提供され、またはネットワークを介してダウンロードされる。
【００２０】
表示制御部３２０は、画像処理プロセッサ等として実装され、更新部３２２および表示部３２１を含む。表示部３２１は、該取得した複数の筆記情報のうち、少なくとも同一のページと対応付けられた複数の筆記情報に従って画像を表示する。更新部３２２は、操作受付部３３０からの指示を逐次反映して画面を更新する。表示態様とは、線の色、種類、太さ、アニメーションやエフェクト（点滅など）、その他の視覚的効果を含む。要するに、指定されたタイミングに対応する筆記内容をユーザが理解することを支援し得る視覚的効果であればよい。なお、表示態様とは、色、線の種類や太さ、アニメーションやエフェクト（点滅など）その他の視覚的効果を含む。要するに、指定されたタイミングに対応する筆記内容をユーザが理解することを支援し得る視覚的効果であればよい。
【００２１】
表示部３２１は、ページごとに、同一のページ情報を有するストローク情報ＳＴＲに対応する画像を、一のページ内の筆記位置に対応する位置に表示する。加えて、表示部３２１は、各筆記情報に係る筆記が行われたタイミングが時系列で表された指標画像を更に表示して、操作受付部３３０にて前記指標画像内の位置の指定を受け付ける。この場合、前記指標画像において、筆記が行われた期間と筆記が行われていない期間とを区分して表示もよい。さらに、筆記が行われていない複数の期間のうち最も長い一の期間を指定するようにユーザを促すための画像を表示してもよい。
【００２２】
図６に情報処理装置３００における動作例の概要を示す。ユーザは予め定められた処理を行って、ストローク情報ＳＴＲ編集用のアプリケーションを起動させ、電子ペン２００からストローク情報ＳＴＲを取得する（Ｓ５０２）。ユーザは所望の編集対象のページを指定すると（Ｓ５０４）、情報処理装置３００は該選択されたページを表示する（Ｓ５０６）。続いて、ユーザが筆記タイミングを指定すると（Ｓ５０８）、情報処理装置３００は該受付けた筆記タイミングに応じて、該表示された画像の表示態様を逐次更新する（Ｓ５１０）。ユーザが筆記タイミングを確定させると（Ｓ５１２：ＹＥＳ）、情報処理装置３００は分割処理および／または結合処理の内容を決定する（Ｓ５１４）。そして、情報処理装置３００は該受付けたタイミングに基づいて、該表示された画像に係る複数のストローク情報ＳＴＲの少なくともいずれか一つについて、文書との対応関係を変更する（Ｓ５１６）。
以下、各プロセスを詳細に説明する。
【００２３】
図７は、上記アプリケーションを起動してストローク情報ＳＴＲを取得した直後に情報処理装置３００に表示される画面の例を示す（Ｓ５０２）。画面の表示領域は、ウィンドウＷ１およびウィンドウＷ２に区分される。ウィンドウＷ２には、読み込んだ全てのストローク情報ＳＴＲをページ情報に従って筆記内容を再現した画像Ｐｓがページごとに表示（サムネイル表示）される。ウィンドウＷ２に全文書が表示しきれない場合は、ユーザからスクロール操作を受付けて表示対象のページを変更する。同図では、文書Ａ−１、Ａ−２、Ａ−３、Ａ−４、・・・毎に、第１ページ目の筆記内容、第２ページ目の筆記内容、第３ページ目の筆記内容、・・・というように配置されている。
【００２４】
ウィンドウＷ１には、ユーザがオブジェクトＯＢ５を操作してウィンドウＷ２から選択された１つのページを拡大表示した画像Ｐｍが表示される。加えて、ウィンドウＷ１には、分割ポイントの表示および指定を行うためのオブジェクトＯＢ１およびオブジェクトＯＢ２が表示される。
【００２５】
図８は、図７のＳ５０４において表示される画面の例を示す。ユーザは、まず、ウィンドウＷ２に表示されているＰｓをチェックし、生成されたストローク情報ＳＴＲが意図した筆記内容を表しているかをチェックする。この例では、ユーザは、文書Ａ−２の第１ページに関連付けられた画像が筆記意図に反していると判断したとする。すなわち、ユーザは「あいうえお」の文字と「ＡＢＣ」の文字が重なっているので、「あいうえお」と「ＡＢＣ」とは本来異なる文書の第１ページに筆記すべきものが、操作間違いによって同一文書の同一ページとして情報処理装置３００に認識されていることに気づき、このページに関連するストローク情報ＳＴＲの編集が必要だと判断したとする。
【００２６】
まず、ユーザは、ウィンドウＷ２において文書Ａ−２の第１ページを選択する。すると、情報処理装置３００は当該ページが選択されたことを示すオブジェクトＯＢ３２、オブジェクトＯＢ３１を表示するとともに、ウィンドウＷ１にその拡大画像を表示する。そして、当該ページに対応付けられた全てのストローク情報ＳＴＲを抽出し、各ストローク情報ＳＴＲのオブジェクトＯＢ２にタイミング情報を、横棒状のオブジェクト内の位置に対応付けて表示する。当該ページに関する筆記は、左端に対応する時点で最初に開始し、右端に対応する時点で終了し、オブジェクトＯＢ２内の水平方向の各位置は各筆記タイミングに対応する。
【００２７】
オブジェクトＯＢ２において、筆記が行われた（すなわちシート１００と電子ペン２００とが接触していた）期間はオブジェクトＯＢ２３で表わされ、筆記が行われていない期間（すなわちシート１００から電子ペン２００が離れている期間）はオブジェクトＯＢ２４で表される。このように筆記の有無を区分して表示することで、当該ページに係る筆記タイミングの状況（時間分布）および分割ポイントの候補が直感的に分かるようになっている。
オブジェクトＯＢ２５の位置は分割ポイントを表す。ユーザはオブジェクトＯＢ２５を左右に動かすことでタイミングを調整している。オブジェクトＯＢ２５の位置を変更するごとに、分割ポイントが分かるようにＰｍの表示態様が異なる。同図に示す例では、「あ」「い」「う」「え」「お」「Ａ」「Ｂ」「Ｃ」の順序で筆記されたとすると、「あ」から「お」の第１画目までは青色で、「お」の第２画目から「Ｃ」までは赤色で、それぞれ表示される。
【００２８】
なお、初期状態（ユーザがまだ分割ポイントを指定していない状態）において、オブジェクトＯＢ２５の位置を複数のオブジェクトＯＢ２４のうち最も期間（つまり横幅）が長いオブジェクトＯＢ２４内に位置させるのが好ましい。筆記されていない期間が長いほど、当該期間が実際は文書の区切りとユーザが考えていた可能性が高いと推定されるからである。
【００２９】
ユーザは、オブジェクトＯＢ５を動かして自身の筆記意図に適合する分割ポイントを探る。ここでは、ユーザは「ＡＢＣ」は文書Ａ−２として筆記したが、「あいうえお」は文書Ａ−１に属す意図であったと判断したとする。すると、ユーザはＰｍを見ながら、オブジェクトＯＢ５を「お」の第３画目とＡの第１画目との間の位置に移動させる（図９）。このように本実施例では、オブジェクトＯＢ５の位置が直ちに表示態様に反映され、ユーザが分割ポイントの特定が容易に理解できるようになっている（図６のＳ５０８およびＳ５１０）。
【００３０】
続いて、図１０のように、オブジェクトＯＢ２５が所望の位置にある状態で、ユーザがオブジェクトＯＢ１１をクリックすると、情報処理装置３００は編集内容を確定させる（図６のＳ５１２）。
すると、情報処理装置３００は、図１１に示すように、オブジェクトＯＢ４ダイアログボックスを表示して編集内容の入力を促す。具体的には、（ａ）分割ポイント直前までの筆記内容を、既存の前の文書（時間的に前作成された；この場合は文書Ａ−１）に結合させる、（ｂ）分割ポイントよりも後の筆記内容を、既存の次の文書（時間的に次に作成された；文書Ａ−３）に結合させる、（ｃ）分割ポイントよりも前（または後ろ）の筆記内容を、新規の文書として追加する、という処理候補のうち一つをユーザに選択させる。
【００３１】
ここで、上記（ａ）の処理が選択されたとする。「あいうえお」の筆記に対応する一群の筆記情報が新たに文書Ａ−１に対応付けられる（図６のＳ５１４）。この対応付けの変更に応じて、ＰｍおよびＰｓの画像が図１２に示すように更新されるとともに、ストローク情報ＳＴＲはこの編集によって図１３のように更新される（図６のＳ５１６）。すなわち、「あいうえお」に対応するストローク情報ＳＴＲ１〜ストローク情報ＳＴＲ１２の対応付けが、ページ情報を保ったまま、文書Ａ−２から文書Ａ−１に変更された。
【００３２】
上記（ｂ）の処理が選択された場合、同様に、ユーザが指定した編集内容に従ってストローク情報ＳＴＲの編集および画面の更新が行われる。例えば、結合先を文書Ａ−３と指定された場合、ストローク情報ＳＴＲ１３〜ストローク情報ＳＴＲ１７の文書との対応関係が文書Ａ−２から文書Ａ−３に変更される。
上記（ｃ）の処理が選択された場合、ユーザは分割ポイントの前または後ろ（または両方）を指定すると、指定された一群の筆記情報は、新規性の文書Ａ−（ｎ＋１）に対応付けられる。
【００３３】
図１２の画面が表示されている状態から、さらに編集を行う例を説明する。具体的には、ユーザは、ウィンドウＷ２をチェックしたところ、文書Ａ−３の第１ページ目の筆記情報は本来文書Ａ−２の第１ページ目のものであることを認識したとする。まず、ユーザは結合先のページ（この場合はＡ−２文書の第１ページ）を選択する。指定したページはウィンドウＷ１に表示される。続いて、ユーザは結合元のページ（この場合はＡ−３文書の第１ページ）を指定し、ドラッグアンドドロップ操作を行う（図１４）。すると、文書Ａ−３の第１ページに係る全ての筆記情報の対応関係が暫定的に文書Ａ−２に変更され、この変更内容を反映した画像がウィンドウＷ１に表示される。同図では、「ＡＢＣ」と横線とが重ね合わせて表示される（図１５）。
【００３４】
ユーザがこの編集内容に問題ないことを確認すると、オブジェクトＯＢ１１をクリックして変更内容を確定させる。変更後のストローク情報ＳＴＲは、図１６の通り、横線に対応するストローク情報ＳＴＲ２０の文書との対応付けが変更されている。なお、結合元のページに筆記情報が複数存在する（つまり結合元ページに係る複数の筆記情報のうち一部のみを結合する）場合、図８〜図１０と同様に、オブジェクトＯＢ１を用いて分割ポイントの指定を受け付けてもよい。
【００３５】
なお、統合先は同一ページの別文書に限らず、同一ページの別文書の異なるページが指定されてもよい。この場合、情報処理装置３００は該当する各ストローク情報ＳＴＲに付与されているページ情報を書き換える。
【００３６】
＜他の実施例＞
図１７に示すように、ウィンドウＷ２には、一つのページが選択されると、同一のページのサムネイル画像のみが表示されるようにしてもよい。他のページの画像Ｐｓを表示しない分だけ、編集に関係する可能性のあるページの画像Ｐｓを大きいサイズで表示することができる。
【００３７】
情報処理装置３００は、筆記された文字のページ内の配置を解析する配置解析部を備えてもよい。この場合、編集対象のページが選択された後、配置解析部は、当該ページに係る全てのストローク情報ＳＴＲについての配置を解析して分割ポイントを推定してもよい。そして、情報処理装置３００は推定した分割ポイントの位置にオブジェクトＯＢ２２を自動的に表示するとともに、当該分割ポイントに対応する画像をウィンドウＷ１に表示する。例えば、図１８に示すように、選択したページの画像ＰｍがＰｍ１とＰｍ２とを含む場合、配置解析部は、Ｐｍ１、Ｐｍ２にはそれぞれ一まとまりであり、少なくともＰｍ１の途中やＰｍ２の途中で分割されることがないと推定し、Ｐｍ１の最後からＰｍ２の間（この間に文字が書かれている間はこの期間の任意のポイント）を分割ポイントとして推定する。この分割ポイントがユーザの所望の分割ポイントと一致すれば、ユーザは確定ボタンを押す操作だけで編集を完了させることができる。この方法によれば、従来技術のように文字の配置のみに基づいて自動的に分割を実行する場合に比べ、分割ポイントが分かり易く示された画像を表示してユーザの指示を待って編集を実行するので、分割ポイントを誤判定する虞がない。
【００３８】
情報処理装置３００の機能の全部または一部は、他の装置によって実現されてもよい。例えば、情報処理装置３００を設けず、情報処理装置３００の機能を全て電子ペン２００に実装してもよい。電子ペン２００において用いられるストローク情報ＳＴＲの形式、座標の読み取り方式や、生成されるデータの形式は問わない。例えば、文字とストローク情報ＳＴＲとの関係は図３に示した態様に限定されず、複数のストロークを例えば文字単位で纏めて編集の最少単位である情報として扱ってもよい。要するに、本発明の情報処理の対象となるデータは、少なくとも、ページ情報に対応付けられた、複数の位置情報およびタイミング情報の組から成る一群の筆記情報であればよい。
【００３９】
要するに、本発明に係る情報処理は、各々、一の文書を構成する一のページと対応付けられ、筆記位置および筆記タイミングの情報を有する複数の筆記情報を取得するステップと、筆記タイミングの指定を受付けるステップと、該取得した複数の筆記情報に対応する画像を、該受け付けた指定に従った態様で表示する表示ステップと、筆記タイミングの指定を受付けるステップと、該受付けたタイミングに基づいて、該表示された画像に係る複数の筆記情報の少なくともいずれか一つについて、文書との対応関係を変更するステップとを有していればよい。
【符号の説明】
【００４０】
１０・・・筆記システム、１００・・・シート、２００・・・電子ペン、３００・・・情報処理装置、２１１・・・筆圧センサ、２１２・・・読取部、２１３・・・計時部、２３０・・・記憶部、２４０・・・通信部、２２０・・・データ処理部、３１０・・・データ取得部、３２０・・・表示制御部、３２１・・・表示部、３２２・・・更新部、３３０・・・操作受付部、３４０・・・データ編集部、３５０・・・記憶部、ＳＴＲ・・・ストローク情報
【図１】
0006728993.tif 000002
【図２】
0006728993.tif 000003
【図３】
0006728993.tif 000004
【図４】
0006728993.tif 000005
【図５】
0006728993.tif 000006
【図６】
0006728993.tif 000007
【図７】
0006728993.tif 000008
【図８】
0006728993.tif 000009
【図９】
0006728993.tif 000010
【図１０】
0006728993.tif 000011
【図１１】
0006728993.tif 000012
【図１２】
0006728993.tif 000013
【図１３】
0006728993.tif 000014
【図１４】
0006728993.tif 000015
【図１５】
0006728993.tif 000016
【図１６】
0006728993.tif 000017
【図１７】
0006728993.tif 000018
【図１８】
0006728993.tif 000019
【図１９】
0006728993.tif 000020